(57)【要約】【課題】光ディスクドライブにおける光ディスクの停止中に，例えば中断した録画データの再生を再開する要求などの再生処理の要求が生じた場合に，速やかに再生処理を開始することができるＡＶ装置を提供すること。【解決手段】録画・再生回路８が，光ディスクドライブ９を通じて光ディスク１０から録画データを先読みしつつその再生処理を行う通常再生処理の中断時に，中断位置以降の録画データに基づく退避再生用データをフラッシュメモリ４ｃに記録し，再生処理の再開要求に応じて，前記退避再生用データに基づくクイック再生処理を実行し，前記通常再生処理が可能となった後，前記クイック再生処理から前記通常再生処理へと再生位置を引き継いで移行させる。【選択図】図１
2010176777.tif 000002
【特許請求の範囲】
【請求項１】
光ディスクに記録されたデータを読み出す光ディスクドライブと，該光ディスクドライブを通じて前記光ディスクから録画データを先読みしつつ該録画データに基づく再生映像を映像表示部を通じて出力させる第１の再生手段と，を備えたＡＶ装置であって，
電気的にデータ書き換え可能な不揮発性の半導体メモリと，
前記光ディスクドライブにより前記光ディスクから読み出された録画データに基づく再生用データを前記不揮発性の半導体メモリに記録する再生用データ記録手段と，
前記光ディスクドライブにおける停止中の前記光ディスクに記録された前記録画データの再生要求に応じて，前記不揮発性の半導体メモリに記録された前記再生用データに基づく再生映像を前記映像表示部を通じて出力させる第２の再生手段と，
前記光ディスクドライブにおける停止中の前記光ディスクに記録された前記録画データの再生要求に応じて前記光ディスクドライブによる前記光ディスクの駆動が開始され，前記第１の再生手段による再生処理が可能となった後，前記第２の再生手段による再生処理から前記第１の再生手段による生成処理へと再生位置を引き継いで移行させる再生移行制御手段と，
を具備してなることを特徴とするＡＶ装置。
【請求項２】
前記再生用データ記録手段が，前記第１の再生手段による前記録画データの再生処理が中断された場合に，前記第１の再生手段により先読みされた前記録画データに基づいて所定のデータバッファに一時記憶された再生中断位置以降の所定時間分の前記再生用データを前記不揮発性の半導体メモリに記録し，
前記第２の再生手段が，中断された前記録画データの再生処理の再開要求に応じて，前記不揮発性の半導体メモリに記録された前記再生用データに基づく再生映像を前記映像表示部を通じて出力させ，
前記再生移行制御手段が，中断された前記録画データの再生処理の再開要求に応じて前記光ディスクドライブによる前記光ディスクの駆動が開始され，前記第１の再生手段による再生処理が可能となった後，前記第２の再生手段による再生処理から前記第１の再生手段による生成処理へと再生位置を引き継いで移行させてなる請求項１に記載のＡＶ装置。
【請求項３】
前記光ディスクドライブが，予めセットされた複数の前記光ディスクの中から駆動するものを選択して要求に応じたデータの読み出しを行う光ディスク切替型の光ディスクドライブであり，
前記再生用データ記録手段が，前記光ディスク切替型の光ディスクドライブにセットされた複数の前記光ディスクそれぞれに対応させて個別に前記再生用データを前記不揮発性の半導体メモリへ記録してなる請求項１又は２のいずれかに記載のＡＶ装置。
【請求項４】
前記再生用データ記録手段が，前記第１の再生手段による前記録画データの再生処理がなされていないときに，前記光ディスクに記録された前記録画データにおける先頭の所定時間分のデータに基づく前記再生用データを前記不揮発性の半導体メモリに記録してなる請求項１〜３のいずれかに記載のＡＶ装置。
【請求項５】
前記不揮発性の半導体メモリがフラッシュメモリである請求項１〜４のいずれかに記載のＡＶ装置。
【発明の詳細な説明】
【技術分野】
【０００１】
本発明は，光ディスクドライブ内蔵型のＡＶ装置に関するものである。
【背景技術】
【０００２】
昨今，液晶テレビジョン受像機などのＡＶ（Audio Visual）装置は，光ディスクドライブが内蔵され，光ディスクに放送番組等のコンテンツを録画する録画処理及び録画データに基づく再生処理を行う機能を備えるものがある。これにより，録画・再生機能を有するＡＶシステム全体の省スペース化が実現される。なお，光ディスクドライブには，ＤＶＤ（Digital Versatile Disc）のドライブやブルーレイディスクのドライブ等がある。
また，光ディスクドライブ内蔵型のＡＶ装置は，一般に，再生処理や録画処理の終了や中断により，光ディスクへのアクセスが必要でない状況が一定時間継続すると，光ディスクドライブによる光ディスクの回転駆動を停止させる。そして，前記ＡＶ装置は，再生処理や録画処理の要求に応じて，光ディスクドライブによる光ディスクの回転駆動を開始させ，光ディスクの回転が安定した後に，光ディスクドライブを通じた光ディスクへのデータアクセスを行いつつ，再生処理や録画処理を実行する。これにより，装置の省電力化及び静音化が図られている。
但し，光ディスクドライブは，光ディスクの回転駆動の開始からその回転が安定してデータへのアクセスが可能となるまでに数秒程度の時間を要する。以下，その時間のことをディスク回転の起動時間と称する。さらに，光ディスクドライブは，通電が開始されてから光ディスクの回転駆動を開始できる状態となるまでにも，初期化処理等のために数秒程度の時間を要する。以下，その時間のことをドライブ起動時間と称する。
【０００３】
また，光ディスクドライブは，光ディスクの回転速度を，基準となる回転速度（１倍速）から，その２倍速，４倍速及び８倍速等へ変更する機能を有し，その回転速度に応じた速度で光ディスクに記録されたデータにアクセスする。
コンテンツの再生処理では，光ディスクドライブを通じて光ディスクからコンテンツのデータが先読みされ，そのコンテンツの再生信号の生成及びバッファリングが行われつつ，再生速度に応じたペースでバッファから再生信号が出力される。その際，光ディスクドライブは，基準となる回転速度よりも速い速度で光ディスクを回転させる。これにより，早送り再生が可能となり，また，再生処理中に他の割り込み処理が発生した場合でも円滑な再生が可能となる。なお，前記コンテンツのデータの先読みとは，そのコンテンツのリアルタイム再生に必要なデータの読み込みペースよりも速いペースでデータの読み込みを行うことである。
【０００４】
また，光ディスクドライブには，光ディスクがセットされるディスクトレイを複数備え，各ディスクトレイに予めセットされた複数の前記光ディスクの中から回転駆動するものを切り替えることにより，要求に応じたデータの読み出しを行う光ディスク切替型の光ディスクドライブも存在する。このような光ディスクドライブは，一般に，ディスクチェンジャー付光ディスクドライブなどと称される。
前記光ディスク切替型の光ディスクドライブは，光ディスク内のデータへのアクセス要求があってから実際にそのデータへのアクセスが可能となるまでに，前記ドライブ起動時間と前記ディスク回転の起動時間とに加え，回転駆動の対象とする光ディスクを選択してその光ディスクの回転駆動を開始できる状態にするのに必要なディスク選択時間も要する。なお，一般に，前記ディスク選択時間は数秒程度である。
そして，特許文献１には，光ディスク切替型の光ディスクドライブを備えた録画装置が，放送番組の録画処理の際に，特定の光ディスクに録画データの先頭部分を記録し，残りの録画データを他の光ディスクに記録することについて示されている。従って，特許文献１に示される録画装置は，前記特定の光ディスクを回転駆動可能な状態で待機することにより，前記ディスク選択時間を省いて録画データの再生を開始することができる。
【先行技術文献】
【特許文献】
【０００５】
【特許文献１】特開平１１−２９７０４７号公報
【発明の概要】
【発明が解決しようとする課題】
【０００６】
ところで，光ディスクドライブを備えた従来のＡＶ装置は，光ディスクの回転の停止中に再生処理の要求が生じた場合，少なくとも前記ディスク回転の起動時間分の時間遅れ，或いは前記ドライブ起動時間と前記ディスク回転の起動時間とを加えた時間分以上の時間遅れの後にしか再生処理を開始できないという問題点があった。その問題点は，特許文献１に示される録画装置にも当てはまる。
また，従来のＡＶ装置は，ユーザの操作に応じて録画データの再生処理を中断した場合，省電力化及び静音化のために，一定時間後に光ディスクの回転を停止させ，さらに，光ディスクドライブに対する通電を停止させる場合もある。
従って，従来のＡＶ装置は，中断した再生処理の再開要求が生じてから，少なくとも前記ディスク回転の起動時間分の時間遅れ，或いは前記ドライブ起動時間と前記ディスク回転の起動時間とを加えた時間分の時間遅れの後にしか再生処理を再開できないという問題点があった。また，光ディスク切替型の光ディスクドライブを備えた従来のＡＶ装置は，中断した再生処理の再開要求に対し，前記ドライブ起動時間と前記ディスク選択時間と前記ディスク回転の起動時間とを加えた時間分の時間遅れが生じるという問題点があった。なお，特許文献１に示される録画装置は，再生処理の中断後にその再生処理の再開要求が生じた場合には，時間遅れの改善効果を期待できない。
一方，録画データの先読み用のデータバッファに再生用データを予め保持しておき，再生処理の要求に応じて，前記データバッファ内の再生用データに基づく再生処理を開始することも考えられなくはない。しかしながら，高速アクセスが要求される前記データバッファは，通常，揮発性メモリであるため，前記データバッファに対する通電を常時保持しておくことは省電力化の面で好ましくない。
従って，本発明は上記事情に鑑みてなされたものであり，その目的とするところは，光ディスクドライブにおける光ディスクの停止中に，例えば中断した録画データの再生を再開する要求などの再生処理の要求が生じた場合に，速やかに再生処理を開始することができるＡＶ装置を提供することにある。
【課題を解決するための手段】
【０００７】
上記目的を達成するために本発明に係るＡＶ装置は，次の（１）〜（６）に示される各構成要素を備えている。
（１）光ディスクに記録されたデータを読み出す光ディスクドライブ。
（２）前記光ディスクドライブを通じて前記光ディスクから録画データを先読みしつつその録画データに基づく再生映像を映像表示部を通じて出力させる第１の再生手段。
（３）電気的にデータ書き換え可能な不揮発性の半導体メモリ。
（４）前記光ディスクドライブにより前記光ディスクから読み出された録画データに基づく再生用データを前記不揮発性の半導体メモリに記録する再生用データ記録手段。
（５）前記光ディスクドライブにおける停止中の前記光ディスクに記録された前記録画データの再生要求に応じて，前記不揮発性の半導体メモリに記録された前記再生用データに基づく再生映像を前記映像表示部を通じて出力させる第２の再生手段。
（６）前記光ディスクドライブにおける停止中の前記光ディスクに記録された前記録画データの再生要求に応じて前記光ディスクドライブによる前記光ディスクの駆動が開始され，前記第１の再生手段による再生処理が可能となった後，前記第２の再生手段による再生処理から前記第１の再生手段による生成処理へと再生位置を引き継いで移行させる再生移行制御手段。
なお，前記不揮発性の半導体メモリの典型例はフラッシュメモリである。
【０００８】
本発明に係るＡＶ装置は，起動時間を要しない前記不揮発性の半導体メモリに前記光ディスクに記録された録画データにおける先頭部や中断部などの一部のデータに基づく再生用データを予め記録する。
そして，本発明に係るＡＶ装置は，再生処理の要求に応じて，まずは前記不揮発性の半導体メモリに記録された前記再生用データに基づいて速やかに再生処理を開始させる。さらに，本発明に係るＡＶ装置は，前記光ディスクドライブを通じて前記光ディスク内の録画データへのアクセスが可能となった段階で，実行中の再生処理を，前記光ディスクに記録された録画データに基づく再生処理へと引き継がせる。これにより，本発明に係るＡＶ装置は，前記光ディスクドライブにおける前記光ディスクの停止中に再生処理の要求が生じた場合であっても，速やかに再生処理を開始することができる。
【０００９】
本発明に係るＡＶ装置のより具体的な構成の一例は以下の通りである。
即ち，前記再生用データ記録手段が，前記第１の再生手段による前記録画データの再生処理が中断された場合に，前記第１の再生手段により先読みされた前記録画データに基づいて所定のデータバッファに一時記憶された再生中断位置以降の所定時間分の前記再生用データを前記不揮発性の半導体メモリに記録する。
また，前記第２の再生手段が，中断された前記録画データの再生処理の再開要求に応じて，前記不揮発性の半導体メモリに記録された前記再生用データに基づく再生映像を前記映像表示部を通じて出力させる。
さらに，前記再生移行制御手段が，中断された前記録画データの再生処理の再開要求に応じて前記光ディスクドライブによる前記光ディスクの駆動が開始され，前記第１の再生手段による再生処理が可能となった後，前記第２の再生手段による再生処理から前記第１の再生手段による生成処理へと再生位置を引き継いで移行させる。
以上の構成を備えたＡＶ装置によれば，再生処理の中断後にその再生処理の再開要求が生じた場合であっても，速やかに再生処理を再開することができる。
【００１０】
また，本発明は，前記光ディスクドライブが，予めセットされた複数の前記光ディスクの中から駆動するものを選択して要求に応じたデータの読み出しを行う光ディスク切替型の光ディスクドライブである場合に好適である。
その場合，前記再生用データ記録手段は，前記光ディスク切替型の光ディスクドライブにセットされた複数の前記光ディスクそれぞれに対応させて個別に前記再生用データを前記不揮発性の半導体メモリへ記録する。
これにより，複数の前記光ディスクに記録された複数の録画データそれぞれについて，再生処理の開始を迅速化できる。また，前記光ディスク切替型の光ディスクドライブに特有の前記ディスク選択時間に相当する時間遅れをも回避できる。
【００１１】
また，前記再生用データ記録手段が，前記第１の再生手段による前記録画データの再生処理がなされていないときに，前記光ディスクに記録された前記録画データにおける先頭の所定時間分のデータに基づく前記再生用データを前記不揮発性の半導体メモリに記録することも考えられる。
これにより，前記録画データの先頭部分からの再生処理においても，本発明の効果が得られる。
なお，前記光ディスクに複数の前記録画データが記録されている場合，前記再生用データ記録手段は，複数の前記録画データそれぞれの先頭部分に基づく前記再生用データを前記不揮発性の半導体メモリに記録すればよい。
【発明の効果】
【００１２】
本発明に係るＡＶ装置は，光ディスクドライブにおける光ディスクの停止中に，例えば中断した録画データの再生を再開する要求などの再生処理の要求が生じた場合に，速やかに再生処理を開始することができる。その結果，停止中の前記光ディスクに記録された録画データの再生を開始する際のユーザの待ち時間をほぼ無くすことができ，使い勝手の良いＡＶ装置を実現できる。また，本発明に係るＡＶ装置は，再生処理の開始時に用いる前記再生用データを，通電保持の必要のない前記不揮発性のメモリに記録するため，待機中に当該装置の各部品の通電を停止させてもよい。その結果，本発明は，ＡＶ装置の省電力化を阻害しない。
【図面の簡単な説明】
【００１３】
【図１】本発明の実施形態に係るＡＶ装置の一例であるテレビジョン受像機Ｘの概略構成を表すブロック図。
【図２】テレビジョン受像機Ｘにおける録画データの再生処理の手順を表すフローチャート。
【図３】テレビジョン受像機Ｘにおいてクイック再生処理が行われるときのデータバッファへのデータ記録の様子を表す模式図。
【発明を実施するための形態】
【００１４】
以下添付図面を参照しながら，本発明の実施の形態について説明し，本発明の理解に供する。尚，以下の実施の形態は，本発明を具体化した一例であって，本発明の技術的範囲を限定する性格のものではない。
【００１５】
まず，図１に示されるブロック図を参照しつつ，本発明の実施形態に係るＡＶ装置の一例であるテレビジョン受像機Ｘの構成について説明する。
図１に示すように，テレビジョン受像機Ｘは，複数のチューナ１，外部信号入力部２，復調・分離回路３，映像復号回路１１，映像選択回路１２，映像処理回路１３，液晶ドライバ１４，液晶表示パネル１５，調光回路１６，バックライト１７，音声復号回路２１，音声選択回路２２，音声処理回路２３，アンプ２４，スピーカ２５，制御回路４，リモコン受光部６，リモコン７，録画・再生回路８及び光ディスクドライブ９等を備えている。
このテレビジョン受像機Ｘは，前記録画・再生回路８により生成されるコンテンツの再生信号に基づく再生映像及び再生音声が，前記液晶表示パネル１５及び前記スピーカ２５それぞれを通じて出力される光ディスクドライブ内蔵型のテレビジョン受像機である。
【００１６】
前記チューナ１は，入力されたテレビジョン放送信号から放送中のコンテンツ（放送番組）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びに付加データ等を分離して抽出する。さらに，前記復調・分離回路３は，前記制御回路４から受けたＰＩＤ（Packet IDentification)に応じて，視聴対象となる放送番組の映像信号及び音声信号を抽出し，各信号を前記映像復号回路１１及び前記音声復号回路２１それぞれに伝送する。
また，前記復調・分離回路３は，ＴＳ信号から，付加データであるＳＩ（Service Information）等を抽出して前記制御回路４に伝送する。このＳＩは，ＥＰＧ（電子番組ガイド）の情報（例えば，番組名，番組のジャンル，放送時間等を示す情報）が多重化されたデータである。
【００１７】
また，前記外部信号入力部２は，外部装置から映像信号及び音声信号を入力する信号入力インターフェースである。
また，前記光ディスクドライブ９は，ＤＶＤ又はブルーレイディスク等の着脱自在の光ディスク１０がセットされ，その光ディスク１０に対してデータの読み書きを行う装置である。その際，前記光ディスクドライブ９は，セットされた光ディスク１０をサーボモータにより速度可変に回転させつつ，その回転速度に応じた速度でその光ディスク１０に記録されたデータにアクセスする。なお，前記光ディスクドライブ９に対する前記光ディスク１０の回転速度，即ち，光ディスク１０を駆動するモータの回転速度の設定は，前記録画・再生回路８により行われる。
また，前記光ディスクドライブ９は，前記光ディスク１０がセットされるディスクトレイを複数備えている。即ち，前記光ディスクドライブ９は，各ディスクトレイに予めセットされた複数の前記光ディスク１０の中から回転駆動するものを切り替えることにより，要求に応じたデータの読み出しを行う光ディスク切替型の光ディスクドライブである。
【００１８】
また，前記録画・再生回路８は，前記光ディスクドライブ９に対して前記光ディスク１０の回転速度（モータ回転速度）の指令を出力する処理と，コンテンツの録画データを記録する録画処理及びコンテンツの録画データを再生する再生処理とを実行する回路である。
例えば，前記録画・再生回路８は，前記映像復号回路１１から出力される映像信号及び前記音声復号回路２１から出力される音声信号に基づいて前記録画処理を行う。その際，前記録画・再生回路８は，入力信号からコンテンツの録画データを生成し，その録画データを前記光ディスクドライブ９を通じて前記光ディスク１０に記録する。録画対象となるコンテンツは，前記チューナ１により得られる放送番組のコンテンツ，又は前記外部信号入力部２を通じて入力されるコンテンツである。
さらに，前記録画・再生回路８は，前記光ディスクドライブ９を通じて前記光ディスク１０から録画データを先読みしつつ，その録画データに基づく再生映像を前記液晶表示パネル１５を通じて出力させるとともに，その録画データに基づく再生音声を前記スピーカ２５を通じて出力させる再生処理を実行する。以下，この再生処理のことを，便宜上，通常再生処理と称する。
前記録画・再生回路８は，前記通常再生処理において，録画データを先読みしつつ，その録画データに基づいてコンテンツの再生用データを生成し，その再生用データをデータバッファ８ａへ一時記憶させる。前記録画データの先読みがなされる際，前記光ディスクドライブ９は，基準となる回転速度よりも速い速度（２倍速〜８倍速）で前記光ディスク１０を回転させる。なお，前記データバッファ８ａは，高速アクセスが可能な揮発性のメモリである。
そして，前記録画・再生回路８は，リアルタイムでの再生速度に応じたペースで，前記データバッファ８ａから前記再生用データを順次出力する。
前記データバッファ８ａは，いわゆるリングバッファとして使用され，出力済みの前記再生用データは，古いものから順に新たに生成された前記再生用データへ書き換えられる。 ここで，前記再生用データにおける映像データは映像信号として前記映像選択回路１２へ出力され，前記再生用データにおける音声データは音声信号として前記音声選択回路２２へ出力される。これにより，早送り再生が可能となり，また，再生処理中に他の割り込み処理が発生した場合でも円滑な再生が可能となる。
【００１９】
また，前記映像復号回路１１は，前記復調・分離回路３から伝送される映像信号を復号し，復号した映像信号を前記映像選択回路１２に伝送する。同様に，前記音声復号回路２１は，前記復調・分離回路３から伝送される音声信号を復号し，復号した音声信号を前記音声選択回路２２に伝送する。
前記映像選択回路１２は，前記制御回路４からの制御指令に従って，入力される複数のコンテンツの映像信号の中から，１つ又は複数の映像信号を選択して前記映像処理回路１３へ伝送する。この映像選択回路１２に入力される信号には，前記映像復号回路１１を通じて入力される放送番組のコンテンツの映像信号と，前記外部信号入力部２を通じて入力される外部入力コンテンツの映像信号と，前記録画・再生回路８を通じて入力される再生コンテンツの映像信号とが含まれる。
【００２０】
また，前記映像処理回路１３は，前記制御回路４からの制御指令に従って，コンテンツの画像を前記液晶表示パネル１５に表示させるために前記液晶ドライバ１４に供給するフレーム画像信号を生成する。
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。
また，前記液晶表示パネル１５は，前記液晶ドライバ１４による制御に応じて，前記フレーム画像信号に対応する映像を表示する映像表示部である。
また，前記バックライト１７は，前記液晶表示パネル１５の背面側に配列された複数の光源の光により，前記液晶表示パネル１５の表示領域を背面側から照明するものである。
また，前記調光回路１６は，前記制御回路４からの制御指令に従って，前記バックライト１７の光源に対する供給電力を調節することにより，前記バックライト１７の発光の明るさを調節する回路である。
【００２１】
前記音声復号回路２１は，前記復調・分離回路３から伝送されてくる音声信号を復号し，復号した音声信号を前記音声選択回路２２に伝送する。
前記音声選択回路２２は，前記制御回路４からの制御指令に従って，入力される複数の音声信号の中から１つの音声信号を選択して前記音声処理回路２３へ伝送する回路である。前記音声選択回路２２に入力される音声信号には，前記チューナ１により選局された放送番組のコンテンツの音声信号（前記音声復号回路２１を通じて入力される音声信号）と，前記外部信号入力部２を通じて入力される音声信号と，前記録画・再生回路８を通じて入力される再生コンテンツの音声信号とが含まれる。
前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
前記アンプ２４は，前記音声処理回路２３による処理後の音声信号を，前記制御回路４からの指示に従って増幅或いは減衰させる音量調節処理を行い，前記スピーカ２５に出力するものである。
【００２２】
前記リモコン受光部６は，当該テレビジョン受像機Ｘの操作用のリモコン７（リモート操作器）から，リモコンプロトコルと称される信号伝送プロトコルに従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
【００２３】
前記制御回路４は，演算手段であるＭＰＵ４ａ，記憶手段であるＲＯＭ４ｂ（ＥＰＲＯＭ）及びフラッシュメモリ４ｃを備え，前記ＭＰＵ４ａが，制御プログラムを実行することによって当該テレビジョン受像機Ｘ全体を制御する。
前記ＲＯＭ４ｂには，前記ＭＰＵ４ａによって実行される制御プログラムが予め格納されている。また，前記フラッシュメモリ４ｃには，前記ＭＰＵ４ａや前記録画・再生回路８が実行する処理において参照又は生成される各種データが記憶される。
なお，前記フラッシュメモリ４ｃは，電気的にデータ書き換え可能な不揮発性の半導体メモリの一例であり，代替可能なメモリとしてＥＥＰＲＯＭ等が考えられる。
以降の説明において，前記ＭＰＵ４ａが実行する処理は，前記ＭＰＵ４ａが前記ＲＯＭ４ｂに記憶された制御プログラムを実行することによって実現される。
例えば，前記ＭＰＵ４ａは，前記リモコン７及び前記リモコン受光部６を通じてチャンネル選局や録画要求又は再生要求の操作入力を検知し，その検知結果に応じて前記チューナ１に対する選局指令や，前記録画・再生回路８に対する前記録画処理又は前記再生処理の実行指令を出力する。
【００２４】
また，前記録画・再生回路８は，前記光ディスクドライブ９において回転が停止されている前記光ディスク１０に記録された前記録画データの再生要求が発生した場合に，その再生要求に応じて以下に示すクイック再生処理を実行する。
前記クイック再生処理は，不揮発性の半導体メモリである前記フラッシュメモリ４ｃに記録された再生用データに基づく再生映像を前記液晶表示パネル１５を通じて出力させるとともに，その再生用データに基づく再生音声を前記スピーカ２５を通じて出力させる処理である。
以下，前記フラッシュメモリ４ｃに記録され，前記クイック再生処理に用いられ再生用データのことを，退避再生用データと称する。
本実施形態では，前記録画・再生回路８は，中断された前記録画データの再生処理の再開要求に応じて，前記フラッシュメモリ４ｃに記録された前記退避再生用データに基づく再生映像を前記液晶表示パネル１５を通じて出力させる前記クイック再生処理を実行する。
【００２５】
以下，図３を参照しつつ，前記フラッシュメモリ４ｃに記録される前記退避再生用データＤｐ１について説明する。
前記退避再生用データＤｐ１は，前記光ディスクドライブ９により前記光ディスク１０から読み出された録画データに基づいて生成された再生処理用のデータである。また，前記退避再生用データＤｐ１は，前記通常再生処理が中断された場合に，前記録画・再生回路８が，前記通常再生処理において先読みした録画データに基づいて，前記データバッファ８ａに一時記憶させた再生用データであり，前記通常再生処理の中断位置Ｐｓ以降の所定時間ｔｘ分の前記再生用データである。ここで，時間ｔｘは，予め設定された時間であり，前記光ディスクドライブ９が起動指令に応じてデータアクセス可能な状態へ移行するまでに要する時間よりも長い時間に設定されている。
また，前記録画・再生回路８は，光ディスク切替型の前記光ディスクドライブ９にセットされた複数の前記光ディスク１０それぞれに対応させて個別に前記退避再生用データＤｐ１を前記フラッシュメモリ４ｃへ記録する。
そして，１枚の前記光ディスク１０に複数の前記録画データが記録されている場合，前記録画・再生回路８は，複数の前記録画データそれぞれについて個別に前記退避再生用データＤｐ１を生成し，それらを前記引継ぎ情報Ｄｐｒにより識別可能にして前記フラッシュメモリ４ｃに記録する。
また，前記フラッシュメモリ４ｃには，前記退避再生用データＤｐ１ごとに，その退避再生用データを用いた前記クイック再生処理から前記通常再生処理への引継ぎに必要な情報である引継ぎ情報Ｄｐｒも対応付けられて記憶される。
前記引継ぎ情報Ｄｐｒには，前記退避再生用データの基礎となった前記録画データの識別情報及びその録画データが記録されている前記光ディスク１０の識別情報と，前記録画データにおける前記退避再生用データに対応する部分の位置情報とが含まれる。前記位置情報の具体例としては，前記録画データにおける前記退避再生用データの最後尾の部分の位置を表す引継ぎ位置Ｐｅの情報が考えられる。なお，前記位置情報は，例えば，前記録画データの先頭部から標準速度で再生処理を行った場合にその位置に到達するまでの時間の情報などである。
【００２６】
次に，図２に示されるフローチャートを参照しつつ，前記ＭＰＵ４ａ及び前記録画・再生回路８による録画データの再生処理の手順の一例について説明する。図２に示される処理は，前記ＭＰＵ４ａが，前記リモコン７において，再生対象の録画データの選択操作と，選択された録画データの再生要求の操作とがなされたことを検知したときに開始される。なお，以下に示されるＳ１，Ｓ２，…は，処理手順（ステップ）の識別符号を表す。
【００２７】
前記ＭＰＵ４ａは，前記再生要求の操作を検知すると，まず，前記録画・再生回路８に対して前記光ディスクドライブ９の起動指令を出力する（Ｓ１）。この起動指令には，複数の前記光ディスク１０のうちのいずれをアクセス対象として回転駆動させるかを指定するディスク選択指令が含まれる。また，前記録画・再生回路８は，前記起動指令に応じて，前記光ディスクドライブ９を起動させる（Ｓ１）。これにより，前記光ディスクドライブ９が，通電の開始によって起動し，さらに，指定された前記光ディスク１０を選択して回転駆動させてデータアクセス可能な状態へ移行する。
なお，前記光ディスクドライブ９の起動指令の出力があってからデータアクセス可能な状態へ移行するまでの時間は，数秒乃至十秒程度である。
【００２８】
次に，前記再生要求において指定されている録画データに対応する前記退避再生用データが前記フラッシュメモリ４ｃに存在する場合，前記録画・再生回路８が，前記退避再生用データを前記フラッシュメモリ４ｃから前記データバッファ８ａへ転送する（Ｓ２）。なお，前記再生要求において指定されている録画データに対応する記退避再生用データが前記フラッシュメモリ４ｃに存在する場合における前記再生要求は，以前に中断された再生処理の再開要求である。
続いて，前記録画・再生回路８は，前記データバッファ８ａに転送された前記退避再生用データを，リアルタイムでの再生速度に応じたペースで前記データバッファ８ａから順次出力する（Ｓ３）。これらステップＳ２及びＳ３の処理が，前記クイック再生処理である。
なお，前記再生要求において指定されている録画データに対応する前記退避再生用データが前記フラッシュメモリ４ｃに存在しない場合，ステップＳ２，Ｓ３の処理はスキップされる。
【００２９】
一方，前記録画・再生回路８は，前記クイック再生処理（Ｓ２，Ｓ３）と並行して，前記光ディスクドライブ９が，前記再生要求において指定されている録画データへのアクセスが可能な状態となるまで，前記光ディスクドライブ９の状態を監視する（Ｓ４）。
そして，前記光ディスクドライブ９が指定された録画データへアクセスできる状態になると，前記録画・再生回路８は，指定された前記録画データにおける前記引継ぎ位置Ｐｅ以降の部分を前記光ディスクドライブ９を通じて先読みしつつ，その録画データに基づいて再生用データを生成し，その再生用データを前記データバッファ８ａへ一時記憶させる（Ｓ５）。以下，このステップＳ５において前記データバッファ８ａに記録される前記再生用データのことを継続再生用データＤｐ２と称する。
なお，前記退避再生用データＤｐ１全ての再生に要する時間ｔｘが，前記光ディスク１０の録画データへのアクセスが可能になるまでの時間より長い。そのため，前記継続再生用データＤｐ２の記録処理（Ｓ５）は，前記退避再生用データＤｐ１に基づく前記クイック再生処理（Ｓ３）の実行中に開始される。
【００３０】
図３には，前記データバッファ８ａの記憶領域における前記退避再生用データＤｐ１及び前記継続再生用データＤｐ２の配置の一例が模式的に表されている。
図３に示されるように，ステップＳ５において，前記録画・再生回路８は，前記引継ぎ位置Ｐｅ以降の前記継続再生用データＤｐ２を，前記データバッファ８ａの記憶領域における前記退避再生用データＤｐ１，即ち，前記中継位置Ｐｓから前記引継ぎ位置Ｐｅまでの再生データに後続する領域に追加して記録する。
そして，前記録画・再生回路８は，前記データバッファ８ａにおけるデータの出力位置，即ち，再生位置を指す再生ポインタＰｐの指示位置を予め設定された速度で順次移動させながら，その再生ポインタＰｐの位置のデータを後段の回路１１，２１へ出力する。
従って，前記録画・再生回路８は，前記データバッファ８ａにおける前記退避再生用データＤｐ１を，リアルタイムでの再生速度に応じたペースで順次出力（Ｓ３）した後，引き続いて前記継続再生用データＤｐ２を順次出力する（Ｓ６）。ここで，前記継続再生用データＤｐ２の追加記録処理（Ｓ５）を行いつつ，前記継続再生用データＤｐ２を順次出力する（Ｓ６）処理は，前記通常再生処理である。
【００３１】
以上に示したように，前記録画・再生回路８は，再生処理を，前記フラッシュメモリ４ｃに予め記録された前記退避再生用データＤｐ１を用いる前記クイック再生処理から，前記光ディスク１０に記憶された前記録画データから順次生成される前記継続再生用データＤｐ２を用いる前記通常再生処理へと，再生位置を引き継いで移行させる（Ｓ６，再生移行制御）。また，その再生処理の移行は，前記光ディスクドライブ９における停止中の前記光ディスク１０に記録された前記録画データの再生要求に応じて，前記光ディスクドライブ９による前記光ディスク１０の駆動が開始され，その光ディスク１０のデータへのアクセスが可能となった後，即ち，前記通常再生処理が可能となった後に行われる。なお，本実施形態における前記再生要求は，中断された前記通常再生処理の再開要求である。
また，前記録画・再生回路８は，前記継続再生用データＤｐ２の追加記録処理（Ｓ５）及び出力処理（Ｓ６）を並行して行う前記通常再生処理を，再生処理の中断要求が検知（Ｓ７）されるまで，又は，録画データの終端部までの再生処理が終了する（Ｓ８）まで継続させる。
なお，前記再生処理の中断要求は，前記ＭＰＵ４ａにより検知され，前記リモコン７において再生処理の中断操作，例えば，再生停止キーの押下操作がなされたことをもって検知される。
【００３２】
また，前記通常再生処理（Ｓ５，Ｓ６）の途中で前記中断要求が検知されると，前記録画・再生回路８は，前記光ディスクドライブ９によって前記光ディスク１０から読み出された録画データに基づく前記再生用データを，前記退避再生用データＤｐ１として前記フラッシュメモリ４ｃに記録し（Ｓ９，再生用データ記録処理），その後，再生処理を終了する。
より具体的には，前記通常再生処理（Ｓ５，Ｓ６）が中断された場合に，前記録画・再生回路８は，その通常再生処理により，前記光ディスク１０から先読みされた前記録画データに基づいて前記データバッファ８ａに一時記憶された再生処理の中断位置Ｐｓ以降の所定時間ｔｘ分の前記再生用データを，前記退避再生用データＤｐ１として前記フラッシュメモリ４ｃに記録する（Ｓ９）。
さらに，ステップＳ９において，前記録画・再生回路８は，再生処理の中断の対象となった前記録画データの識別情報及びその録画データが記録されている前記光ディスク１０の識別情報と，前記引継ぎ位置Ｐｅの情報とが含まれる前記引継ぎ情報Ｄｐｒを，前記退避再生用データＤｐ１に対応付けて前記フラッシュメモリ４ｃに記録する（Ｓ９）。
また，前記録画・再生回路８は，光ディスク切替型の前記光ディスクドライブ９にセットされた複数の前記光ディスク１０それぞれに対応させて個別に前記退避再生用データＤｐ１を前記フラッシュメモリ４ｃへ記録する（Ｓ９）。
以上のようにして前記フラッシュメモリ４ｃに記録された前記退避再生用データＤｐ１は，それに対応する前記録画データに基づく再生処理の再開要求が検知されたときに，前記クイック再生処理（Ｓ２，Ｓ３）において用いられる。同様に，前記フラッシュメモリ４ｃに記録された前記引継ぎ情報Ｄｐｒは，前記再生要求において指定されている録画データに対応する前記退避再生用データの判別（Ｓ２）や，前記継続再生用データＤｐ２の生成に用いる前記録画データ内でのデータ位置の判別（Ｓ５）のために参照される。
【００３３】
以上に示したように，前記テレビジョン受像機Ｘは，起動時間を要しない不揮発性の半導体メモリである前記フラッシュメモリ４ｃに，前記光ディスク１０に記録された録画データにおける中断位置以降のデータに基づく前記退避再生用データＤｐ１を予め記録する（Ｓ９）。
そして，前記テレビジョン受像機Ｘは，再生処理の要求に応じて，まずは前記フラッシュメモリ４ｃに記録された前記退避再生用データＤｐ１に基づいて速やかに前記クイック再生処理を開始させる（Ｓ２，Ｓ３）。
さらに，前記テレビジョン受像機Ｘは，前記光ディスクドライブ９を通じて前記光ディスク１０内の録画データへのアクセスが可能となった段階（Ｓ４のＹ側）で，実行中の前記クイック再生処理を，前記光ディスク１０に記録された録画データに基づく前記通常再生処理（Ｓ５，Ｓ６）へと引き継がせる。これにより，前記テレビジョン受像機Ｘは，前記光ディスクドライブ９における前記光ディスク１０の停止中に再生処理の要求が生じた場合であっても，速やかに再生処理を開始することができる。
さらに，前記テレビジョン受像機Ｘは，複数の前記光ディスク１０それぞれに対応させて個別に前記退避再生用データＤｐ１を記録する（Ｓ９）ため，複数の前記録画データそれぞれについて，再生処理の開始を迅速化できる。また，光ディスク切替型の前記光ディスクドライブ９に特有の前記ディスク選択時間に相当する時間遅れをも回避できる。
【００３４】
ところで，以上に示した実施形態では，前記録画・再生回路８が，前記通常再生処理の中断時に，前記録画データにおける前記中断位置Ｐｓ以降のデータに基づく前記退避再生用データＤｐ１を前記フラッシュメモリ４ｃに記録する（Ｓ９）。
その他，前記録画・再生回路８が，前記通常再生処理を行っていないときに，複数の前記光ディスク１０それぞれに記録された前記録画データにおける先頭の前記所定時間ｔｘ分のデータに基づく前記退避再生用データＤｐ１を前記フラッシュメモリ４ｃに記録することも考えられる。
例えば，前記光ディスクドライブ９の使用を伴わないテレビジョン放送コンテンツの出力処理中に，前記録画・再生回路８が，前記光ディスク１０に記録された前記録画データの先頭部に基づく前記退避再生用データＤｐ１の生成及び前記フラッシュメモリ４ｃへの記録を行うことが考えられる。
これにより，前記録画データの先頭部分からの再生処理においても，本発明の効果が得られる。
【００３５】
また，前記テレビジョン受像機Ｘにおいて，前記ＭＰＵ４ａが，以下に示す録画データの選択処理を実行する機能を備えることも考えられる。
前記録画データの選択処理は，前記リモコン１７を通じて録画データの再生要求の操作がなされるときに実行される処理である。
前記録画データの選択処理において，前記ＭＰＵ４ａは，前記映像処理回路１３を制御することにより，再生要求の対象となり得る複数の前記録画データの中から１つを選択するための選択メニュー画面を前記液晶表示パネル１５に表示させる。その際，前記ＭＰＵ４ａは，前記フラッシュメモリ４ｃに記録された前記退避再生用データＤｐ１に基づくサムネイル映像が選択肢に対応付けられた前記選択メニュー画面を前記液晶表示パネル１５に表示させる（選択メニュー出力制御処理）。
これにより，ユーザは，前記光ディスクドライブ９にセットされた前記光ディスク１０にどのような録画データが記録されていたかを記憶していなくても，前記録画データの内容を前記サムネイル映像により一見して把握することができ，前記録画データの選択が容易となる。
【産業上の利用可能性】
【００３６】
本発明は，ＡＶ装置に利用可能である。
【符号の説明】
【００３７】
Ｘ    ：テレビジョン受像機
１    ：チューナ
２    ：外部信号入力部
３    ：復調・分離回路
４    ：制御回路
４ａ  ：ＭＰＵ
４ｂ  ：ＲＯＭ
４ｃ  ：フラッシュメモリ
６    ：リモコン受光部
７    ：リモコン
８    ：録画・再生回路
８ａ  ：データバッファ
９    ：光ディスクドライブ
１０  ：光ディスク
１１  ：映像復号回路
１２  ：映像選択回路
１３  ：映像処理回路
１４  ：液晶ドライバ
１５  ：液晶表示パネル
１６  ：調光回路
１７  ：バックライト
２１  ：音声復号回路
２２  ：音声選択回路
２３  ：音声処理回路
２４  ：アンプ
２５  ：スピーカ
Ｓ１，Ｓ２，…：ステップ（処理手順）
【図１】
2010176777.tif 000003
【図２】
2010176777.tif 000004
【図３】
2010176777.tif 000005